(57)【要約】      （修正有）【課題】システムの設定作業に要する労力を低減する。【解決手段】監視装置３は、ポート６に被監視装置２が接続された時に接続信号を送出する接続検出部８と、接続検出部８が送出した接続信号に基づいて、所定期間内に被監視装置２が接続されたポート６の組み合わせの情報をポート群情報として取得するポート群取得部９とを備え、監視サーバ５は、ポート６の組み合わせと接続される被監視装置２の種別との関係を示すポート対応テーブル１２と、ポート対応テーブル１２を参照して、ポート群取得部９が取得したポート群情報に対応する被監視装置２の種別を特定する接続情報取得部１３と、ポート群取得部９が取得したポート群情報と接続情報取得部１３が特定した被監視装置２の種別とに基づいて被監視装置テーブル１４を更新する被監視装置テーブル更新部１５とを備える。【選択図】図１
2009130787.tif 000002
【特許請求の範囲】
【請求項１】
監視サーバと、電気通信回線を介して前記監視サーバに接続された監視装置とを備え、前記監視装置は、被監視装置にそれぞれ接続される複数のポートと、当該ポートに所定の動作をさせるポート制御部と、当該ポートから取得した被監視装置の監視情報を送出する監視装置側通信部とを有し、前記監視サーバは、前記監視装置からポート情報を取得する監視サーバ側通信部と、前記ポートと前記被監視装置の接続状態を示す被監視装置テーブルと前記監視サーバ側通信部が取得したポート情報を参照して、被監視装置の監視情報を取得する監視情報取得部とを有する遠隔監視システムであって、
前記監視装置は、
前記ポートに前記被監視装置が接続された時に接続信号を送出する接続検出部と、
前記接続検出部が送出した接続信号に基づいて、所定期間内に前記被監視装置が接続されたポートの組み合わせの情報をポート群情報として取得するポート群取得部とを備え、
前記監視装置又は前記監視サーバは、
前記ポートの組み合わせと接続される被監視装置の種別との関係を示すポート対応テーブルを備え、
前記監視サーバは、
前記ポート対応テーブルを参照して、前記ポート群取得部が取得したポート群情報に対応する被監視装置の種別を特定する接続情報取得部と、
前記ポート群取得部が取得したポート群情報と前記接続情報取得部が特定した被監視装置の種別とに基づいて前記被監視装置テーブルを更新する被監視装置テーブル更新部とを備える
ことを特徴とする遠隔監視システム。
【請求項２】
請求項１に記載の遠隔監視システムにおいて、
前記接続情報取得部により特定された被監視装置の種別が複数である場合に、特定された被監視装置の種別から所望の種別を選択するように入力を要求する種別特定部を備え、前記被監視装置テーブル更新部は、前記種別特定部の要求に応じて入力された被監視装置の種別に基づいて前記被監視装置テーブルを更新することを特徴とする遠隔監視システム。
【請求項３】
請求項１又は請求項２に記載の遠隔監視システムにおいて、
前記監視装置は、前記所定期間を設定するための設定部を備えることを特徴とする遠隔監視システム。
【請求項４】
請求項１乃至請求項３のうち、いずれか１項に記載の遠隔監視システムにおいて、
前記被監視装置テーブル更新部は、被監視装置テーブルを更新した後、第２の所定期間内に前記監視情報取得部が取得した監視情報から警報レベルを設定し、前記監視サーバは、前記監視情報取得部が取得した監視情報が設定された警報レベルに達している場合に警報が発生したと判断する警報判断部を備えることを特徴とする遠隔監視システム。
【請求項５】
請求項１乃至請求項４のうち、いずれか１項に記載の遠隔監視システムにおいて、
前記監視装置は、前記ポートと前記被監視装置間の接続が切断された時に切断信号を送出する切断検出部を備え、前記監視情報取得部は、前記切断検出部から切断信号を受信してから第３の所定期間が経過した後に取得した監視情報を消去することを特徴とする遠隔監視システム。
【請求項６】
請求項５に記載の遠隔監視システムにおいて、
前記監視情報取得部は、前記第３の所定期間が経過する前に同一の組み合わせのポートに被監視装置が接続されたことが検出された場合、消去対象の監視情報を接続された被監視装置からの監視情報として保持することを特徴とする遠隔監視システム。
【発明の詳細な説明】
【技術分野】
【０００１】
本発明は、遠隔地に設置された監視サーバからマンションやオフィスビル等のフィールド側に設置された設備を監視する遠隔監視システムに関する。
【背景技術】
【０００２】
従来より、監視対象となる設備（被監視装置）に接続されるポートを複数有し、ポートを介して設備の物理量情報を取得するフィールド装置（監視装置）と、電気通信回線を介してフィールド装置に接続され、フィールド装置が取得した物理量情報から設備の監視情報を生成する遠隔監視装置（監視サーバ）とを備える遠隔監視システムが知られている。このような遠隔監視システムでは、遠隔監視装置は、各ポートが取得する物理量情報の種別を示すポート構成情報と物理量情報の計測に用いられるポートを示す設備構成情報とに基づいて、フィールド装置から取得した物理量情報から設備毎の監視情報を生成する。
【特許文献１】特開２００７−１８４７５４号公報
【発明の開示】
【発明が解決しようとする課題】
【０００３】
従来の遠隔監視システムでは、フィールド装置の設置資料に基づいて、設備の種別や監視情報をどのフィールド装置のどのポートから取得するかという情報（被監視装置テーブル）の設定を遠隔監視装置側で手動で設定しなければならず、システムの設定作業に多くの労力を要していた。
【０００４】
そこで、本発明は、上述した実情に鑑みて提案されたものであり、システムの設定作業に要する労力を低減可能な遠隔監視システムを提供することを目的とする。
【課題を解決するための手段】
【０００５】
本発明に係る遠隔監視システムでは、監視装置は、ポートに被監視装置が接続された時に接続信号を送出する接続検出部と、接続検出部が送出した接続信号に基づいて、所定期間内に被監視装置が接続されたポートの組み合わせの情報をポート群情報として取得するポート群取得部とを備え、監視装置又は監視サーバは、ポートの組み合わせと接続される被監視装置の種別との関係を示すポート対応テーブルを備え、監視サーバは、ポート対応テーブルを参照して、ポート群取得部が取得したポート群情報に対応する被監視装置の種別を特定する接続情報取得部と、ポート群取得部が取得したポート群情報と接続情報取得部が特定した被監視装置の種別とに基づいて被監視装置テーブルを更新する被監視装置テーブル更新部とを備える。
【発明の効果】
【０００６】
本発明に係る遠隔監視システムによれば、被監視装置テーブル更新部が、ポート群取得部が取得したポート群情報と接続情報取得部が特定した被監視装置の種別とに基づいて被監視装置テーブルを更新するので、被監視装置テーブルを手動で更新する必要がなくなり、システムの設定作業に要する労力を低減することができる。
【発明を実施するための最良の形態】
【０００７】
以下、図面を参照して、本発明の第１及び第２の実施形態となる遠隔監視システムの構成について説明する。
【０００８】
［第１の実施形態］
〔遠隔監視システムの全体構成〕
本発明の第１の実施形態となる遠隔監視システム１は、図１に示すように、被監視装置２に接続された監視装置３と、インターネットやＬＡＮ（Local Area Network）等の電気通信回線４を介して監視装置３に接続された監視サーバ５とを主な構成要素として備える。
【０００９】
〔監視装置の内部構成〕
監視装置３は、被監視装置２と通信するｎ個のポート６と、被監視装置２の電流値や電圧値の計測，接点のオン／オフ制御やオン／オフ計測等の所定の動作をポート６に実行させるポート制御部７と、ポート６に被監視装置２が接続された時にポート６毎に接続信号を送出する接続検出部８と、所定期間内に接続信号が送出されたポート６の組み合わせの情報をポート群情報として取得するポート群取得部９と、電気通信回線４を介して監視サーバ５と通信する監視装置側通信部１０を備える。なお本実施形態では、各ポート６の用途は、電流値の計測用，接点のオン／オフ制御用，接点のオン／オフ計測用等、予め決められているものとする。
【００１０】
〔監視サーバの内部構成〕
監視サーバ５は、電気通信回線４を介して監視装置側通信部１０と通信する監視サーバ側通信部１１と、被監視装置２が接続されるポート６の組み合わせの情報を被監視装置２の種別毎に示すポート対応テーブル１２を参照して、監視装置３から送出されたポート群情報に対応する被監視装置２の種別を特定する接続情報取得部１３と、監視装置３から送出されたポート情報と接続情報取得部１３により特定された被監視装置２の種別とに基づいて、ポート６と被監視装置２の接続状態を示す被監視装置テーブル１４の内容を更新する被監視装置テーブル更新部１５と、ポート６の情報と被監視テーブル１４を参照して被監視装置２の監視情報を取得する監視情報取得部１６と、被監視装置種別特定用入出力部１７とを備える。
【００１１】
〔遠隔監視システムの動作〕
このような構成を有する遠隔監視システム１は、以下に示す設定処理を実行することにより、システムの設定作業に要する労力を低減する。以下、図２に示すフローチャートを参照して、この設定処理を実行する際の遠隔監視システム１の動作について詳しく説明する。図２に示すフローチャートは、監視装置３の電源がオフ状態からオン状態に切り換えられたタイミングで開始となり、設定処理はステップＳ１の処理に進む。
【００１２】
ステップＳ１の処理では、接続検出部８が、ポート６に被監視装置２が接続されたか否かを監視する。そして接続検出部８は、ポート６に被監視装置２が接続されたタイミングで設定処理をステップＳ２の処理に進める。但し接続検出部８は、ポート６に被監視装置２が接続される前に最初の接続信号を受信してから所定時間Ｔ１が経過した場合（詳しくはステップＳ３の処理参照）、設定処理をステップＳ３の処理に進める。ステップＳ２の処理では、接続検出部８が、被監視装置２が接続されたポート６の識別子を含む接続信号をポート群取得部９に出力する。これにより、ステップＳ２の処理は完了し、設定処理はステップＳ３の処理に進む。
【００１３】
ステップＳ３の処理では、ポート群取得部９が、最初の接続信号を受信してから所定時間Ｔ１が経過したか否かを判別する。なおこの所定時間Ｔ１は、固定値であってもよいし、ボタンスイッチや操作画面上のアイコンが施工担当者により押下操作されている期間等、施工担当者が自由に設定できるようにしてもよい。これにより、ステップＳ３の処理は完了し、設定処理はステップＳ４の処理に進む。
【００１４】
ステップＳ４の処理では、ポート群取得部３は、所定時間Ｔ１内に取得した接続信号が示すポート６の組み合わせの情報をポート群情報として監視装置側通信部１０，電気通信回線４，監視サーバ側通信部１１を介して接続情報取得部１３に送信する。これにより、ステップＳ４の処理は完了し、設定処理はステップＳ５の処理に進む。
【００１５】
ステップＳ５の処理では、接続情報取得部１３が、ポート対応テーブル１２を参照して、ポート群取得部３から送信されたポート群情報に対応する被監視装置２の種別を特定する。これにより、ステップＳ５の処理は完了し、設定処理はステップＳ６の処理に進む。
【００１６】
ステップＳ６の処理では、被監視装置テーブル更新部１５が、ステップＳ５の処理により特定された被監視装置２の種別が複数存在するか否かを判別する。判別の結果、被監視装置２の種別が複数存在しない場合、被監視装置テーブル更新部１５は設定処理をステップＳ８の処理に進める。一方、被監視装置２の種別が複数存在する場合には、被監視装置テーブル更新部１５は設定処理をステップＳ７の処理に進める。
【００１７】
ステップＳ７の処理では、被監視装置種別特定用入出力部１７が、ステップＳ５の処理により特定された被監視装置２の種別の中から所望の種別を選択入力するようにシステム管理者に促し、施工担当者が所望の被監視装置２の種別を選択入力するのに応じて、入力された被監視装置２の種別の情報を被監視装置テーブル更新部１５に出力する。これにより、ステップＳ７の処理は完了し、設定処理はステップＳ８の処理に進む。
【００１８】
ステップＳ８の処理では、被監視装置テーブル更新部１５が、ステップＳ５の処理により特定された被監視装置２の種別又はステップＳ７の処理により選択入力された被監視装置２の種別の情報とに基づいて被監視装置テーブル１４の内容を更新する。これにより、ステップＳ８の処理は完了し、一連の設定処理は終了する。
【００１９】
以上の説明から明らかなように、本発明の第１の実施形態となる遠隔監視システム１によれば、監視サーバ５は、所定時間Ｔ１内に接続されたポート６の組み合わせは１つの被監視装置２に関するものであると判断し、ポート６の組み合わせと接続される被監視装置２の種別とを関連づけさせたポート対応テーブル１２により被監視装置２の種別を特定し、被監視装置テーブル１４を更新するので、被監視装置テーブル１４を更新するための人的作業が不要になり、システムの設定作業に要する労力を低減することができる。
【００２０】
［第２の実施形態］
〔遠隔監視システムの全体構成〕
本発明の第２の実施形態となる遠隔監視システム１は、図３に示すように、監視サーバ５の構成が上記第１の実施形態となる遠隔監視システム１における監視サーバ５の構成と異なる。そこで以下では監視サーバ５の構成についてのみ説明し、その他の構成についてはその説明を省略する。。
【００２１】
〔監視サーバの内部構成〕
監視サーバ５は、上記第１の実施形態となる遠隔監視システム１における監視サーバ５の構成に加えて、警報を出力するレベルを監視情報毎に示す警報レベルテーブル１８を参照して、監視情報取得部１６が取得した監視情報から警報が発生したか否かを判定する監視判断部１９とを備える。
【００２２】
〔遠隔監視システムの動作〕
このような構成を有する遠隔監視システム１は、以下に示す設定処理を実行することにより、システムの設定作業に要する労力を低減する。以下、図４に示すフローチャートを参照して、この設定処理を実行する際の遠隔監視システム１の動作について詳しく説明する。図４に示すフローチャートは、監視装置３の電源がオフ状態からオン状態に切り換えられたタイミングで開始となり、設定処理はステップＳ１の処理に進む。なおステップＳ１〜ステップＳ８の処理は、図２に示すステップＳ１〜ステップＳ８の処理と同じであるので、以下ではその説明を省略し、ステップＳ９の処理から説明を始める。
【００２３】
ステップＳ９の処理では、監視情報取得部１６が、電気通信回線４及び監視装置側通信部１０を介して各ポート６から監視情報を定期的に取得する。これにより、ステップＳ９の処理は完了し、設定処理はステップＳ１０の処理に進む。
【００２４】
ステップＳ１０の処理では、監視情報取得部１６が、ステップＳ８の処理により被監視装置テーブル１４が更新されてから所定時間Ｔ２が経過したか否かを判別する。そして監視情報所得部１６は所定時間Ｔ２が経過したタイミングで設定処理をステップＳ１１の処理に進める。
【００２５】
ステップＳ１１の処理では、監視情報取得部１６が、所定時間Ｔ２内に取得した監視情報に基づいて各ポート６（監視情報の種別）毎に警報レベルを算出し、算出された警報レベルをポート６毎に警報レベルテーブル１８に設定する。これにより、ステップＳ１１の処理は完了し、一連の設定処理は終了する。
【００２６】
以上の説明から明らかなように、本発明の第２の実施形態となる遠隔監視システム１によれば、監視サーバ５が、被監視装置テーブル１４が更新されてから所定時間Ｔ２内に取得した監視情報に基づいて各ポート６の警報レベルを設定するので、警報レベルを設定するための人的作業が不要になり、システムの設定作業に要する労力を低減することができる。
【００２７】
以上、本発明者によってなされた発明を適用した実施の形態について説明したが、この実施の形態による本発明の開示の一部をなす記述及び図面により本発明は限定されることはない。例えば、各ポート６と被監視装置２間の接続が切断された時に切断信号を送出する切断検出部を監視装置３に設け、監視情報取得部１６は切断検出部から切断信号を受信してから所定時間Ｔ３が経過した後に取得した監視情報を消去するようにしてもよい。このような構成によれば、被監視装置２の監視を終了する際に、ポート６の削除に伴うシステムの設定変更作業を容易にすることができる。また切断信号を受信してから所定期間Ｔ３が経過した後に監視情報を消去するので、ポート６と被監視装置２の接続ミスが発覚した場合に監視情報がすぐに消去されてしまうことを防止できる。またこの場合、監視情報取得部１６は所定時間Ｔ３が経過する前に同一の組み合わせのポート６に被監視装置２が接続された場合、消去対象の監視情報を接続された被監視装置２からの監視情報として保持することが望ましい。このような構成によれば、被監視装置２を交換する際に、システムの設定変更作業を容易にすることができる。またポート６の通信不良や被監視装置２の一時的な取り外しが発生した場合に監視情報が消去されてしまうことを防止できる。このように、本実施形態に基づいて当業者等によりなされる他の実施の形態、実施例及び運用技術等は全て本発明の範疇に含まれる。
【図面の簡単な説明】
【００２８】
【図１】本発明の第１の実施形態となる遠隔監視システムの構成を示すブロック図である。
【図２】本発明の第１の実施形態となる設定処理の流れを示すフローチャート図である。
【図３】本発明の第２の実施形態となる遠隔監視システムの構成を示すブロック図である。
【図４】本発明の第２の実施形態となる設定処理の流れを示すフローチャート図である。
【符号の説明】
【００２９】
１：遠隔監視システム
２：被監視装置
３：監視装置
４：電気通信回線
５：監視サーバ
６：ポート
７：ポート制御部
８：接続検出部
９：ポート群取得部
１０：監視装置側通信部
１１：親装置側通信部
１２：ポート対応テーブル
１３：接続情報取得部
１４：被監視装置テーブル
１５：被監視装置テーブル更新部
１６：監視情報取得部
１７：被監視装置種別特定用入出力部
１８：警報レベルテーブル
１９：監視判断部
【図１】
2009130787.tif 000003
【図２】
2009130787.tif 000004
【図３】
2009130787.tif 000005
【図４】
2009130787.tif 000006